(57)【要約】【解決課題】山登り時に必要な機能を収納した万能杖の提供【解決手段】握り柄は、上から力をかけやすいＴ型にして、傘を構成する一方、（ロ）その先端に矢尻部を装着し、通常はキャップを装着し、杖として使用し、キャップを外して野犬や熊と戦う武器として使用し（ハ）かかる傘部材に金属、特にアルミ製パイプで２段に伸縮可能となし、傘部材を内挿してはピッケルとしての強度を持たせ、（二）傘を広げて内装した円筒ネットを垂下させ、スズメバチ、アブに襲われた時の防護ネットとして使用できるようにした。【選択図】図４
2011056084.tif 000002
【特許請求の範囲】
【請求項１】
上部にＴ字型握り柄２１と中央部に拡縮可能な傘翼２２と傘棒２３と先端部に矢尻部２４とを備え、前記傘翼２２は拡張時に周縁から下方に垂下し、円筒ネット２５を裏面に内装するとともに、握り柄２１と傘棒２３の連結部に第１雄ネジ２６aを、傘棒２２ｂと矢尻部２３との連結部に第２雄ネジ２６ｂを備えた傘本体２０と、該傘本体２０を内挿可能でピッケル強度を付与する金属パイプ１１からなり、後端に上記第１雄ネジ２６aと螺合する第１雌ネジ１３を備える支持筒１０と、該支持筒先端から突出する上記矢尻部２３を覆い、先端にゴム部材３１を、開口部に上記第２雄ネジ２６ｂに螺合する第２雌ネジ３２を備えるキャップ部材３０とからなり、傘本体を支持筒に内装して先端から突出する矢尻部２３にキャップ部材３０を装着して登山杖として使用し、キャップ部材３０をはずし矢尻部２３を露出させてピッケル又は武器として使用し、支持筒１０から傘本体２０を抜き出して傘として、更に円筒ネット２５を垂下してハチ防護ネットとして使用できることを特徴とする万能杖。
【請求項２】
支持筒が２段伸縮可能なアルミ製パイプ１１，１２からなる請求項１記載の万能杖。
【請求項３】
前記傘翼２２の拡張時に周縁から下方に垂下する円筒防護ネット２５が傘翼２２をなす各翼片端部に防護ネット２５の折り畳み時に傘翼内に収容する固定フラップ２７を備える請求項１または２記載の万能杖。
【発明の詳細な説明】
【技術分野】
【０００１】
この発明は、山登り、キャンプの時に持参するに重宝な万能杖に関するものである。
【背景技術】
【０００２】
従来山登りにはピッケルなどの杖が使用されるが、傘を併用したものはない。他方、老人等の杖には傘に杖の機能を持たせたものが種々提案されている（特許文献１、２及び３）。
【先行技術文献】
【特許文献】
【０００３】
【特許文献１】登録実用新案第３１１０６７０号
【特許文献２】登録実用新案第３１４５０２９号
【特許文献３】特開２０００−１４４１９号
【発明の開示】
【発明が解決しようとする課題】
【０００４】
山登りには登山杖となるピッケル以外に傘などの雨具を必要とするので、杖に傘の機能を持たせると兼用できて便利であるが、ピッケルの強度を持たせながら傘の機能を持たせることは難しい。しかも山登り時ではその傘機能だけでなく、野犬やクマ等に襲われた時の武器（槍）になるような機能も必要があり、また、アブやスズメバチ等の害虫に対しては防護ネットの機能を持たせる必要があり、単純に多機能を寄せ集めて万能杖とするのは困難である。
【０００５】
本発明はそれらの強い要望に答えるために発明されたものである。
【課題を解決するための手段】
【０００６】
本発明は、かかる要望に答えるためになされたもので、この課題を解決するために（イ）握り柄は、上から力をかけやすいＴ型にして、傘を構成する一方、（ロ）その先端に槍部材を装着し、通常はキャップを装着し、杖として使用し、キャップを外して野犬や熊と戦う武器として使用し（ハ）かかる傘部材に金属、特にアルミ製パイプで２段に伸縮可能となし、傘部材を内挿してはピッケルとしての強度を持たせ、（二）傘を広げて内装した円筒ネットを垂下させ、スズメバチ、アブに襲われた時の防護ネットとして使用できるようにしたもので、その要旨とするところは、上部にＴ字型握り柄２１と中央部に拡縮可能な傘翼２２と傘棒２３と先端部に矢尻部２４とを備え、前記傘翼２２は拡張時に周縁から下方に垂下し、円筒ネット２５を裏面に内装するとともに、握り柄２１と傘棒２３の連結部に第１雄ネジ２６aを、傘棒２２ｂと矢尻部２３との連結部に第２雄ネジ２６ｂを備えた傘本体２０と、該傘本体２０を内挿可能でピッケル強度を付与する金属パイプ１１からなり、後端に上記第１雄ネジ２６aと螺合する第１雌ネジ１３を備える支持筒１０と、該支持筒先端から突出する上記矢尻部２３を覆い、先端にゴム部材３１を、開口部に上記第２雄ネジ２６ｂに螺合する第２雌ネジ３２を備えるキャップ部材３０とからなり、傘本体を支持筒に内装して先端から突出する矢尻部２３にキャップ部材３０を装着して登山杖として使用し、キャップ部材３０をはずし矢尻部２３を露出させてピッケル又は武器として使用し、支持筒１０から傘本体２０を抜き出して傘として、更に円筒ネット２５を垂下してハチ防護ネットとして使用できる万能杖にある。
【発明の効果】
【０００７】
外出時の歩行バランスを調整する杖として使用することができるだけでなく、支持筒から抜き出せば傘としても使える。しかも先端矢尻部は武器としても使用できるが、矢尻部は補強支持筒とともに登山時のピッケルとして使用する機能を付与する一方、傘を開いて円筒ネットを垂下すれば、防護ネットとして使用できるので、登山時に必要な機能を備える万能杖として役立つ。
【図面の簡単な説明】
【０００８】
【図１】本発明に係る万能杖の分解組み立て図である。
【図２】本発明の万能杖の先端を露出させた状態の立面図である。
【図３】本発明の万能杖から傘本体を抜き出し、傘翼を広げた状態を示す立面図である。
【図４】本発明の万能杖の傘本体を広げ、内装された円筒ネットを垂下させた状態の立面図である。
【図５】円筒ネットを傘翼裏面に収納する状態の説明のための断面図である。
【発明を実施するための形態】
【０００９】
以下、本発明を添付図面に示す具体例に基づき、詳細に説明する。
【実施例】
【００１０】
図１は本発明の万能杖の分解図で、２０は傘本体で、上部にＴ字型握り柄２１と、中央部に拡縮可能な傘翼２２と傘棒２３と、先端部に矢尻部２４とを備え、図４に示すように、前記傘翼２２は拡張時に周縁から下方に垂下し、円筒防護ネット２５を装備するとともに、握り柄２１と傘棒２３の連結部に第１雄ネジ２６aを、傘２３と矢尻部２４との連結部に第２雄ネジ２６ｂを備える。
【００１１】
１０は、支持筒で、該傘本体２０を内挿可能なピッケル強度を付与する金属パイプ１１からなり、取り外し時の収納を容易にする２段伸縮可能なアルミ製パイプ１１，１２からなるのが好ましい。この支持筒１０には後端に上記第１雄ネジ２６ａと螺合する第１雌ネジ１３を備える。
【００１２】
３０はキャップ部材で、上記矢尻部２３を覆い、先端にゴム部材３１を、開口部に上記第２雄ネジ２４に螺合する第２雌ネジ３２を備える。
【００１３】
傘本体２０を支持筒１０に内装して先端から矢尻部２３を突出させ、握り柄２１と支持棒２２ｂの連結部の第１雄ネジ２６aに支持筒１０の後端開口の第１雌ネジ１３を螺着させ、傘２３と矢尻部２３との連結部の第２雄ネジ２６ｂにキャップ部３０の開口部の第２雄ネジ３１を螺着させると、支持筒１０の２段伸縮が固定され、図１ｂに示す登山杖１が構成される。
【００１４】
図２に示すように、キャップ部材３０をはずし矢尻部２３を露出させると、ピッケルとして使用することができ、先端矢尻部２３を武器として使用することもできる。
【００１５】
支持筒１０から傘本体２０を抜き出して図３に示すように傘翼２２を広げると傘として使用することができる。更に図４に示すように、傘翼裏側に収納している円筒ネット２５を垂下するとスズメバチ等の防護ネット２５として使用できる。なお、ネット下端にネット円筒を縮小する結び紐２８をつけるとネット全長が短くても下方開口からのハチ等の侵入を防止できる。
【００１６】
前記傘翼２２にはその拡張時に周縁から下方に垂下する円筒防護ネット２５を図５に示すように、各翼片端部に固定フラップ２７を備え、防護ネット２５の折り畳み時に傘翼内に収容し、マジックテープ（登録商標）等の固定具で収納を固定できるようになっている。この円筒ネットは収納時に嵩張らないように薄手のネット地を使用するのが望ましい。
【００１７】
なお、杖先のキャップ部材は、先端がゴムになっているので滑りにくく、ショック吸収の役割を持つ。取り替えが可能なので傷がついたり、すり減っても大丈夫である。船底型にすると路面への接地がスムーズで安定した歩行が得られる一方、これを取り外すと、矢尻部が露出して寒冷地での滑りやすい路面に対応するためアイスピック型となる。
【符号の説明】
【００１８】
１０：支持棒
２０：傘本体
２３：矢尻部
２５：円筒防護ネット
２７：固定フラップ
３０：キャップ部材
【図１】
2011056084.tif 000003
【図２】
2011056084.tif 000004
【図３】
2011056084.tif 000005
【図４】
2011056084.tif 000006
【図５】
2011056084.tif 000007